(57)【要約】      （修正有）【課題】電気もセンサーもなしに両手を同時に消毒できて、使い勝手の良い消毒スタンドを提供する。【解決手段】台座１上に垂立固定され下端側部に切欠部２ａを有する筒状体２の最上部に消毒液３入り容器４を載置するトレイ体５を固定設置し、該消毒液３入り容器４はその上端栓６を貫通し上下滑動できる滑動管７の下押しにより内部の消毒液３が滑動管７に連なり横方向に伸びる消毒液吐出管８より吐出するようにし、該滑動管７ないし消毒液吐出管８の下押し装置は、上下移動しうる直接下押し部９から同じく上下移動するシャフト１０に連結されていてそのシャフト１０が該トレイ体５を貫き該筒状体２の内部に入り込むと共に牽引体１１がこれに連結され、その牽引体１１は更にその下端において筒状体２の下端切欠部２ａより外方に突出し上下移動できるペダル部に連結されると共に上端において筒状体上部に設けた固定体１３とスプリングのような弾性体１４で連結される。【選択図】図１
0003229799.tif 000002
【実用新案登録請求の範囲】
【請求項１】
台座上に垂立固定され下端側部に切欠部を有する筒状体の最上部に消毒液入り容器を載置するトレイ体を固定設置し、該消毒液入り容器はその上端栓を貫通し上下滑動できる滑動管の下押しにより内部の消毒液が該滑動管に連なる横方向に伸びる消毒液吐出管より吐出するようになっており、該滑動管ないし消毒液吐出管の下押し装置は、上下移動しうる直接下押し部から同じく上下移動するシャフトに連結されていてそのシャフトが該トレイ体を貫き該筒状体の内部に入り込むと共に牽引体がこれに連結され、その牽引体は更にその下端において該筒状体の下端切欠部より外方に突出し上下移動できるペダル部に連結されると共に上端において該トレイ固定部ないし筒状体上部に設けた固定体とスプリングないしこれに類する弾性体で連結されて成ることを特徴とする消毒スタンド。
【考案の詳細な説明】
【考案の詳細な説明】
【技術分野】
【０００１】この考案は、ウイルス感染等の予防対策として用いられる手指を消毒又は洗浄するための消毒スタンドに関する。
【背景技術】
【０００２】最近、全世界的な脅威となっている新型コロナウイルスには未だ決定的に対処できる治療薬やワクチンが存在せず、感染爆発や重症化したときの致死率の高さ及び医療崩壊の危機懸念などから、これを極力、初期の段階でくい止めるためのいわゆるソーシャルデスタンスなど「３密」をさける自粛要請がなされていることは周知の通りである。そこで民間個人が心掛けるべき主な対策としてマスク着用と手洗い（消毒）がある。【０００３】このうち水道水や洗剤を使って手洗いができる場所は当然に限られているから、外出先等ではスタンド設置型の消毒（除菌）装置が要望されており、それには様々なタイプのものがある。その際、使用にあたって片手ずつしかできないと、非効率であるばかりか途中からそれが再汚染されてしまうおそれがあるから、ハンドフリーの状態で両手を同時に消毒できるものが望ましいが、現状ではそれは甚だ限られたものになっている。【０００４】例えば小型簡易なものとして、テーブル等に載置する箱型装置があり、その下方の開口部より手指を挿入すると、センサーが感知してアルコール等の消毒液を噴出する仕掛けになっていたり、或いは上方に手をかざすと下方より消毒液がスプレーされるものもある。【０００５】或いは足踏み式ポンプスタンドと称するものもあるが、これは市販の大小様々なポンプ式消毒液ボトルを支持棒の頂上の収容箱にセットして、これを足元の支持部にあるペダルを踏むことによりポンプを作動させ消毒液を噴出できるようにしたものである。【０００６】
【考案の開示】
【考案が解決しようとする課題】
【０００７】いずれにしても既製のものについては、テーブル載置型は低コストで簡便ではあるものの、使用状況によっては故障など不具合が発生しやすく、屋外では電源不備やセンサー誤作動などから設置できない問題点があり、また業務用の本格的なものは甚だ高コストであったり、上記の足踏み式ポンプスタンドも様々な消毒液ボトルに対応して作動させる機構が複雑化して、不便や故障が多いなどの問題点を抱えていた。本考案はかかる問題点を解決することを課題とする。
【課題を解決するための手段】
【０００８】台座１上に垂立固定され下端側部に切欠部２ａを有する筒状体２の最上部に消毒液３入り容器４を載置するトレイ体５を固定設置し、該消毒液３入り容器４はその上端栓６を貫通し上下滑動できる滑動管７の下押しにより内部の消毒液３が滑動管７に連なる横方向に伸びる消毒液吐出管８より吐出するようになっており、該滑動管７ないし消毒液吐出管８の下押し装置は、上下移動しうる直接下押し部９から同じく上下移動するシャフト１０に連結されていてそのシャフト１０が該トレイ体５を貫き該筒状体２の内部に入り込むと共に牽引体１１がこれに連結され、その牽引体１１は更にその下端において筒状体２の下端切欠部２ａより外方に突出し上下移動できるペダル部１２に連結されると共に上端において該トレイ固定部ないし筒状体上部に設けた固定体１３とスプリングないしこれに類する弾性体１４で連結されて成るように、本考案の消毒スタンドを構成する。【０００９】すなわちこれを室外等の電源のない場所に設置した場合、使用者は足元のペダル部１２を踏むと、それが牽引体１１を弾性体１４に逆らって下方に牽引するから、これに連なるシャフト１０及び更に連なる直接下押部９が下方に移動して、消毒液吐出管８を下押しする。するとこれに連通する滑動管７は消毒液３入り容器４の上端栓６を上下方向に密に貫通しているから、消毒液３は圧力上昇により容器４から消毒液吐出管８の外に吐出するので、両手がハンドフリーの状態で手指を消毒できることになる。【００１０】なお、ここで言う牽引体１１は、具体的にはワイヤー、丈夫な紐、鎖等が該当し、これに連なる弾性体１４は、引ばね（スプリング）や丈夫なゴム紐等が該当する。【００１１】また牽引体１１に連なるシャフト１０は、トレイ体５を貫き若干の上下移動ができるような、軽量で細くても強度のある線材が望ましく、かつその移動の摩擦からトレイ体５に設けた貫通孔をガードするために、管状のシャフトカバー１０ａを取り付けることが望ましい。【００１２】このシャフト１０は上方で消毒液吐出管８を下押しする直接下押部９に連なる必要があるから、具体的には任意に設計できるが、例えば図のような水平方向の連結体１５を介して、化粧キャップ９ａやフェルト９ｂを有する直接下押部９に連なる貫通ナット１５ａで連なるようにすればよい。
【考案の効果】
【００１３】本考案によれば、電源やセンサーを必要としないので、新型コロナウイルス対策など高度な感染予防に対応するための広範な場所に設置することが可能となると同時に、構造がシンプルかつ強靭であって故障しにくく、また既に市販されているハンドソープ用容器と同様なものに消毒液を入れ、トレイ体５上に１個置くのみでよいから甚だ簡便で、大きさの異なる容器にする時も貫通ナットの調整や予備貫通孔１５ｂの選択で済むから、その場所がかさ張らないという効果もある。
【考案を実施するための形態】
【００１４】既に本考案の構成をかなり具体的に述べてきたが、更に具体的な実施形態を例として補充説明する。先ず台座１の例は図４のような形状で厚さ約３０ｍｍの堅牢な板体であって底面に滑り止め１ａが設けられる。その上にビス止めされたＶＵ（強化塩ビ）キャップ１６に内接するＶＵパイプ（内直径６５ｍｍ）から成る約６５０ｍｍ長の筒状体２を垂立設置する。その下端片端部に設けられたクサビロックナット１７の中心部を支点として回動する縦板片１８を取り付けこれに連設するペダル本体と共にペダル部１２を形成する。なお縦板片１８の上下移動を許すスリット状の切欠部２ａが筒状体２とＶＵキャップ１６に設けられる。
【００１５】トレイ体５を筒状体２に固定する固定体１３は、筒状体２に内接する厚さ３０ｍｍの板体であってこれを頂上部においてはめ込み固定する。この固定体１３は弾性体１４の固定を兼ねてもよい。またトレイ体５の平面図は図３のようであるが、載置する容器４の大きさの違いに対応できるようにやや縦長の長方形とし、最上部の連結体１５には図２に示すように、大型の容器４に対応する貫通ナット貫通用の予備貫通孔１５ｂを設けると共に、反対側にはシャフト１０に固定するシャフト用貫通孔１５ｃが設けられている。また貫通ナット１５ａの上端には他を傷つけないように握り玉１９が設けられる。但し本考案はかかる諸例に限定されるものではない。
【産業上の利用可能性】
【００１６】既に述べてきたように、本考案はとりわけ今日の深刻なウイルス感染予防対策として社会的ニーズが甚だ高いと共に、電源もセンサーもなしに両手同時消毒できる使い勝手の良いものが低コストで量産できるので、産業上の利用可能性は十分にあるといえる。
【図面の簡単な説明】
【００１７】
【図１】本考案一例の側断面図
【図２】本考案に用いられる連結体一例の平面図
【図３】本考案に用いられるトレイ一例の平面図
【図４】本考案一例下端部の一部断面平面図
【符号の説明】
【００１８】  １……台座              ２……筒状体            ２ａ……切欠部
３……消毒液            ４……容器              ５……トレイ体
６……上端栓          ７……滑動管          ８……消毒液吐出管
９……直接下押し部      ９ａ……化粧キャップ      ９ｂ……フェルト
１０……シャフト      １０ａ……シャフトカバー      １１……牽引体
１２……ペダル部          １３……固定体            １４……弾性体
１５……連結体        １５ａ……貫通ナット        １５ｂ……予備貫通孔
１５ｃ……シャフト用貫通孔                      １６……ＶＵキャップ
１７……クサビロックナット      １８……縦板片      １９……握り玉
【図１】
0003229799.tif 000003
【図２】
0003229799.tif 000004
【図３】
0003229799.tif 000005
【図４】
0003229799.tif 000006
【手続補正書】
【提出日】令和2年9月9日(2020.9.9)
【手続補正１】
【補正対象書類名】実用新案登録請求の範囲
【補正対象項目名】全文
【補正方法】変更
【補正の内容】
【実用新案登録請求の範囲】
【請求項１】
台座上に垂立固定され下端側部に切欠部を有する筒状体の最上部に消毒液入り容器を載置するトレイ体を固定設置し、該消毒液入り容器はその上端栓を貫通し上下滑動できる滑動管の下押しにより内部の消毒液が該滑動管に連なる横方向に伸びる消毒液吐出管より吐出するようになっており、該滑動管ないし消毒液吐出管の下押し装置は、上下移動しうる直接下押し部から同じく上下移動するシャフトに連結されていてそのシャフトが該トレイ体を貫き該筒状体の内部に入り込むと共に牽引体がこれに連結され、その牽引体は更にその下端において該筒状体の下端切欠部より外方に突出し上下移動できるペダル部に連結されると共に上端において該トレイ体の固定部ないし該筒状体上部に設けた固定体とスプリングないしこれに類する弾性体で連結されて成ることを特徴とする消毒スタンド。